(57)【特許請求の範囲】
【請求項１】
無線基地局との間でスペクトル拡散通信を行う無線端末において、
前記無線基地局から１つの無線端末への下り方向の通信で使用する個々の拡散符号に各々対応する複数のバッファの各々に、前記無線端末に送信する情報を、所定の情報量毎に順次入力すると共に、前記情報を、前記無線端末から前記無線基地局への上り方向の通信に用いる拡散符号の数であるM個（但し、M≧１）より多い数であるN個の情報に分割する分割手段と、前記複数のバッファ内に蓄積された情報を、各々所定のタイミングで読み出すと共に、前記複数のバッファの各々に対応する拡散符号により各々拡散して送信することによって、前記分割手段により分割された各情報を互いに異なる拡散符号で拡散し、第１の搬送周波数を用いて送信する送信手段とを有する無線基地局から送信された送信信号が入力される入力端と、
前記入力端から入力された前記送信信号を、前記分割手段が分割した数の前記拡散符号を用いて逆拡散する逆拡散手段とを備え、
前記無線基地局への上り方向の通信には前記第１の搬送周波数と異なる第２の搬送周波数を用いることを特徴とする無線端末。
【請求項２】
無線基地局との間でスペクトル拡散通信を行う無線端末において、
前記無線基地局から１つの無線端末への下り方向の通信で使用する個々の拡散符号に各々対応する複数のバッファ内に前記無線端末に送信する情報を入力すると共に該情報蓄積量が所定の値を越える度に入力先のバッファを他のバッファに切り替え、前記情報を該無線端末から前記無線基地局への上り方向の通信に用いる拡散符号の数であるM個（但し、M≧１）より多い数であるN個の情報に分割する分割手段と、前記各バッファ内に蓄積された情報を各々所定のタイミングで読み出すと共に、前記各バッファに対応する拡散符号により各々拡散して送信することによって、前記分割手段により分割された各情報を互いに異なる拡散符号で拡散し、第１の搬送周波数を用いて送信する送信手段とを有する無線基地局から送信された送信信号が入力される入力端と、
前記入力端から入力された前記送信信号を、前記分割手段が分割した数の前記拡散符号を用いて逆拡散する逆拡散手段とを備え、
前記無線基地局への上り方向の通信には前記第１の搬送周波数と異なる第２の搬送周波数を用いることを特徴とする無線端末。
【請求項３】
更に、前記各バッファの情報蓄積量の差が所定の値を越えたところで、蓄積された情報が多いバッファから少ないバッファへ、蓄積された情報の一部を転送することを、前記蓄積された情報が多いバッファに対して指示する手段を有することを特徴とする請求項１に記載の無線端末。
【請求項４】
１つの無線端末から前記無線基地局への上り方向の通信に用いる拡散符号の数が２以上であることを特徴とする請求項１または２に記載の無線端末。
【発明の詳細な説明】
【０００1】
【発明の属する技術分野】
本発明は、ＣＤＭＡ（Code Division Multiple Access）技術を用いた無線端末に関する。
【０００２】
【従来の技術】
近年、周波数利用効率、耐干渉性、秘話性に優れた通信方式として、スペクトル拡散通信が注目を浴びている。このスペクトル拡散通信では、一般に、自己相関特性が高く、相互相関特性の低い疑似ランダム符号を情報ビットに掛け合わせて（拡散処理）送信し、受信の際は、受信信号に対し、送信時と同じ疑似ランダム符号を掛け合わせて（逆拡散処理）情報ビットの抽出を行う。
【０００３】
この際、疑似ランダム符号の相互相関特性が低いことから、他の疑似ランダム符号で拡散された信号にその疑似ランダム符号以外の疑似ランダム符号を用いて逆拡散処理を行っても所望の情報ビットを抽出することができない。したがって、異なる疑似ランダム符号で拡散された複数の信号が伝送中に衝突しても、前記各疑似ランダム符号により逆拡散処理を行えば、各伝送信号から各々所望の情報を抽出することができる。この多重伝送の特徴を活かしたスペクトル拡散通信システムはＣＤＭＡ（Code Division Multiple Access）システムと呼ばれている。
【０００４】
ところで、近年、ＶＯＤ（Video On Demand）や電子出版等のマルチメディアサービスを、無線通信手段を備えた小型携帯の電子機器により提供することが考えられている。このマルチメディア通信サービスでは、上り回線を流れる信号が音声や情報を要求するための比較的小容量のデータであるのに対し、下り回線は画像やテキスト等の大容量データが伝送される機会が多いため、上り回線に比べ下り回線のトラフィック量が多くなる。すなわち、マルチメディア通信サービスでは、上り回線と下り回線が非対称なトラフィック特性を示す。
【０００５】
【発明が解決しようとする課題】
しかしながら、従来より、ＣＤＭＡシステムでは、前記マルチメディア通信サービスにおける情報量の非対称性については考慮されていない、つまり、上り回線と下り回線の信号伝送速度は対称なものであるに過ぎない。このため無線端末が無線基地局からの大容量の情報を受信するためには、平均して長い待ち時間を必要とし、通信サービスの快適性が損なわれる恐れがある。
【０００６】
また、信号伝送速度が上り回線と下り回線とで対称な従来の通信システムの多くは、ランダムアクセスによる上り回線の損失を想定して下り回線の回線設計がなされていたため、下り回線の容量に余裕があるにも関わらず、その効率的利用に向けての改良が加えられないままにあった。
【０００７】
本発明はこのような課題を解決するためのもので、上り回線と下り回線のトラフィック量にマルチメディア通信サービスに適した非対称性を実現することのできる無線基地局、無線送信方法、無線端末、より具体的には無線基地局から無線端末への下り回線のトラフィック量を上り回線に対して大幅に増加することを可能とした無線端末の提供を目的としている。
【００１０】
【課題を解決するための手段】
上記目的を達成するために、本発明の請求項１の無線端末は、無線基地局との間でスペクトル拡散通信を行う無線端末において、前記無線基地局から１つの無線端末への下り方向の通信で使用する個々の拡散符号に各々対応する複数のバッファの各々に、前記無線端末に送信する情報を、所定の情報量毎に順次入力すると共に、前記情報を、前記無線端末から前記無線基地局への上り方向の通信に用いる拡散符号の数であるM個（但し、M≧１）より多い数であるN個の情報に分割する分割手段と、前記複数のバッファ内に蓄積された情報を、各々所定のタイミングで読み出すと共に、前記複数のバッファの各々に対応する拡散符号により各々拡散して送信することによって、前記分割手段により分割された各情報を互いに異なる拡散符号で拡散し、第１の搬送周波数を用いて送信する送信手段とを有する無線基地局から送信された送信信号が入力される入力端と、前記入力端から入力された前記送信信号を、前記分割手段が分割した数の前記拡散符号を用いて逆拡散する逆拡散手段とを備え、前記無線基地局への上り方向の通信には前記第１の搬送周波数と異なる第２の搬送周波数を用いることを特徴とする。
【００１１】
また、上記目的を達成するために、本発明の請求項２の無線端末は、無線基地局との間でスペクトル拡散通信を行う無線端末において、前記無線基地局から１つの無線端末への下り方向の通信で使用する個々の拡散符号に各々対応する複数のバッファ内に前記無線端末に送信する情報を入力すると共に該情報蓄積量が所定の値を越える度に入力先のバッファを他のバッファに切り替え、前記情報を該無線端末から前記無線基地局への上り方向の通信に用いる拡散符号の数であるM個（但し、M≧１）より多い数であるN個の情報に分割する分割手段と、前記各バッファ内に蓄積された情報を各々所定のタイミングで読み出すと共に、前記各バッファに対応する拡散符号により各々拡散して送信することによって、前記分割手段により分割された各情報を互いに異なる拡散符号で拡散し、第１の搬送周波数を用いて送信する送信手段とを有する無線基地局から送信された送信信号が入力される入力端と、前記入力端から入力された前記送信信号を、前記分割手段が分割した数の前記拡散符号を用いて逆拡散する逆拡散手段とを備え、前記無線基地局への上り方向の通信には前記第１の搬送周波数と異なる第２の搬送周波数を用いることを特徴とする。
【００１２】
本発明によれば、各符号チャネル毎の情報伝送量をほぼ均等化することができ、符号チャネル数に比例した信号伝送速度を安定して得ることが可能になる。
【００１３】
【発明の実施の形態】
以下、本発明を実施する場合の形態について図面に基づき説明する。
図１は本発明の一実施形態である無線通信システムの全体的な構成を示す図である。
同図において、１１は無線端末、１２は無線基地局、１３はサーバ、１４はネットワークであり、無線基地局１２とサーバ１３はネットワーク１４を介して接続されている。もちろん無線基地局１２とサーバ１３は一体となっていてもよい。また、１５は個々の無線基地局１２のサービスエリアである。
【００１４】
図２は図１の無線通信システムの無線基地局１２の構成の概略を示す図である。同図において、２１は無線基地局１２を制御するための制御部、２２ａ，２２ｂ，…はサーバ１３より伝送された情報を一旦蓄積するｎ個（但し、ｎ≧２）のバッファである。また、２３はサーバ１３より伝送された情報を各バッファ２２ａ，２２ｂ，…に振り分けたり、無線端末１１からの受信情報をサーバ１３に伝送するためのスイッチである。２４は各バッファ２２ａ，２２ｂ，…に蓄えられた情報を各々異なるｎ個（但し、ｎ≧２）の疑似ランダム符号ＰＮ１，ＰＮ２，…，ＰＮｎを用いてスペクトル拡散するスペクトル拡散部２４ａ，２４ｂ，…を備えた送信部、２５は無線端末１１から送られた情報を受信し、逆拡散するための受信部、２６はアンテナである。ここで、スイッチ２３は、音声通信のようなサービスを提供する場合にバッファ２２ａ，２２ｂ，…を介さず直接送信部２４に情報を送ることで当該バッファによる遅延を防ぐ。
【００１５】
無線端末１１と無線基地局１２との通信は、ＣＤＭＡ／ＦＤＤ（Code Division Multiple Access／Frequency Division Duplex)方式で行われるものとする。
ＣＤＭＡ／ＦＤＤとは、上り回線（無線端末から無線基地局への通信回線）と下り回線（無線基地局から無線端末への通信回線）において互いに異なる搬送波周波数を用いるＣＤＭＡ通信方式である。
【００１６】
より具体的には、無線端末１１から無線基地局１２への上り回線の搬送波周波数としてｆ１を用い、無線基地局１２から無線端末１１への下り回線の搬送波周波数としてｆ２（ｆ１≠ｆ２）を用いる。例えば、無線端末１１がサーバ１３に蓄えられた情報をダウンロードしたい場合、搬送波周波数ｆ１を用いて情報要求信号を送信する。この時、情報要求信号は疑似ランダム符号ＰＮ０でスペクトル拡散された信号である。無線基地局１２は該情報要求信号を受信、逆拡散し、ネットワーク１４を介してサーバ１３に送信する。
【００１７】
サーバ１３は、無線端末１１から要求された情報をネットワーク１４を介して無線基地局１２に送る。無線基地局１２は、その情報をｎ個の疑似ランダム符号ＰＮ１，ＰＮ２，…，ＰＮｎ（但し、ｎ≧２）で拡散する。
【００１８】
以下では、簡単のためｎ＝２の場合を例にとり説明するが、ｎ≧３の場合でも全く同様である。また、従来の手法（上下回線共に１符号チャネルのみを用いる方式）と併用することも可能である。
【００１９】
無線基地局１２は無線端末１１への送信時に２つの疑似ランダム符号ＰＮ１，ＰＮ２を用いるために、サーバ１３から送られた情報を、一旦、２つのバッファ２２ａ、２２ｂに分割して蓄積する（ｎ個の疑似ランダム符号を用いる場合はｎ分割する）。
【００２０】
以下、情報を２分割する方法を、無線端末１１と無線基地局１２との通信がパケット通信である場合と連続通信である場合に分けて説明する。
いずれの場合も、前提として、サーバ１３からネットワーク１４を介して無線基地局１２に情報を伝送する速度が、１符号チャネルの伝送速度（１つの疑似ランダム符号を用いて無線基地局１２から無線端末１１へ伝送する速度）よりも速いものとする。
【００２１】
まず、パケット通信の場合を説明すると、この場合の情報の分割方法は、
（１）所定数のパケットずつ交互に各バッファに情報を振り分ける方法、
（２）バッファの蓄積情報量が所定の値を越える度にバッファを切り替える方法
に大別される。
【００２２】
（１）の方法には以下の２つの方法Ａ、Ｂがある。
【００２３】
（方法（１）−Ａ）
無線基地局１２はスイッチ２３により、サーバ１３からの伝送パケットを１パケットずつ交互に各バッファ２２ａ、２２ｂに振り分けて入力する。その際、バッファ２２ａ、２２ｂは無線端末１１宛のパケットが蓄積されていることを無線基地局１２の制御部２１に伝える。制御部２１はそれを受けて、双方のバッファ２２ａ、２２ｂに対して同時に送信許可の信号を送る。それを受けたバッファ２２ａ、２２ｂは各々の蓄積情報を送信部２４に送る。送信部２４は各スペクトル拡散部２４ａ、２４ｂにて異なる疑似ランダム符号ＰＮ１、ＰＮ２で情報をスペクトル拡散し、スペクトル拡散した信号を搬送波周波数ｆ２を用いて無線端末１１に送信する。これを繰り返し行うことで情報伝送を行う。したがって、この方法（１）−Ａにおいて、疑似ランダム符号ＰＮ１で拡散されたパケットと疑似ランダム符号ＰＮ２で拡散されたパケットは、パケット間で互いに同期して送信されることになる。一方、無線端末１１は受信した信号を疑似ランダム符号ＰＮ１、ＰＮ２を用いて逆拡散して所望の情報を得る。
【００２４】
また、各バッファ２２ａ、２２ｂへ情報を振り分ける際、２以上の所定数のパケットずつ振り分ける方法もある。また、以上の説明では、制御部２１が各バッファ２２ａ、２２ｂに対し同時に送信許可の信号を送ることによりパケット間の同期を実現しているが、各バッファ２２ａ、２２ｂから情報が送信部２４に送られるまでは全く独立して処理し、送信部２４から送信される時にパケット間の同期をとる方法もある。
【００２５】
（方法（１）−Ｂ）
無線基地局１２はスイッチ２３により、サーバ１３からの伝送パケットを１パケットずつ交互に各バッファ２２ａ、２２ｂに振り分けて入力する。バッファ２２ａに蓄えられた情報は直ちに送信部２４に送られ、該送信部２４のスペクトル拡散部２４ａで疑似ランダム符号ＰＮ１でスペクトル拡散され、搬送波周波数ｆ２を用いて無線端末１１に送信される。同様にバッファ２２ｂに蓄えられた情報も直ちに疑似ランダム符号ＰＮ２でスペクトル拡散され、搬送波周波数ｆ２を用いて無線端末１１に送信される。したがって、この方法（１）−Ｂにおいて、疑似ランダム符号ＰＮ１で拡散されたパケットと疑似ランダム符号ＰＮ２で拡散されたパケットは、パケット間で非同期で送信されることになる。一方、無線端末１１は、受信した信号を疑似ランダム符号ＰＮ１、ＰＮ２を用いて逆拡散して所望の情報を得る。この方法（１）−Ｂは、方法（１）−Ａに比べ、各バッファ２２ａ、２２ｂへの送信許可信号を省いた分制御信号の量を削減できると言う利点がある。
【００２６】
また、この方法（１）−Ｂにおいても、２以上の所定数のパケットずつ各バッファ２２ａ、２２ｂに情報を振り分けるようにしてもよい。但し、この場合、バッファに２以上の所定数のパケットが蓄積されてから拡散、送信を開始する方法と、バッファに１パケットでも入力されれば拡散、送信を開始する方法とが考えられる。
【００２７】
ところで、以上の各方法（１）−Ａ、（１）−Ｂにおいて、例えば、一方のバッファ２２ｂに比べ他方のバッファ２２ａから送信された信号により多くの誤りが生じ、再送が繰り返された場合等、バッファ２２ａに振り分けられた情報の方が多くの伝送時間が必要になる場合が考えられる。このような場合、バッファ２２ｂからの送信は既に終了し、バッファ２２ａからのみの送信となり、使用している疑似ランダム符号はＰＮ１のみとなるため信号伝送速度が半減する。
【００２８】
そこで、送信パケットが無くなったバッファ２２ｂは、制御部２１に対してその旨を伝える。制御部２１はバッファ２２ａに対し、そのバッファ２２ａに残っている情報の一部（例えば最大で半分程度）をバッファ２２ｂに転送することを指示する。これにより、バッファ２２ａに残っていた情報がバッファ２２ｂに転送され、再び、疑似ランダム符号ＰＮ１とＰＮ２を用いた伝送が可能となるので、信号伝送速度の低下を避けることができる。
【００２９】
また、制御部２１からバッファ２２ａに、残っている情報の一部をバッファ２２ｂに転送するよう指示がなされた時に、もし、バッファ２２ａに残っている情報量が小さい場合は、むしろ、そのまま疑似ランダム符号ＰＮ１のみを用いて通信を継続した方が良い場合がある。そこで、バッファ間で情報を転送する際は、ある所定の容量以上の情報が残っている場合のみとする。
【００３０】
次に、（２）の方法について説明する。
（２）の方法の基本的な手順は次の通りである。無線基地局１２は、スイッチ２３により、サーバ１３からの伝送パケットをまずバッファ２２ａに蓄える。そしてバッファ２２ａの蓄積情報量が所定の値を越えた時に、情報の振り分け先を他方のバッファ２２ｂに切り替える。また同様に、バッファ２２ｂの蓄積情報量が所定の値を越えた場合に情報の振り分け先をバッファ２２ａに切り替える。
【００３１】
この（２）の方法には、さらに以下の３つの方法Ａ、Ｂ、Ｃがある。
（方法（２）−Ａ）
無線基地局１２は、情報をバッファ２２ａに入力すると、直ちに、その情報を疑似ランダム符号ＰＮ１でスペクトル拡散し、スペクトル拡散した信号を搬送波周波数ｆ２を用いて無線端末１１に送信する。ここで、先に説明したように、無線基地局１２から無線端末１１への伝送速度よりもサーバ１３から無線基地局１２への伝送速度が速いので、情報はバッファ２２ａに蓄えられる。バッファ２２ａに蓄えられた情報量が所定の量を越えたら、情報の振り分け先をバッファ２２ｂに切り替える。バッファ２２ｂに情報を入力する場合も同様に、無線基地局１２は、情報をバッファ２２ｂに入力すると、直ちにその情報を疑似ランダム符号ＰＮ２でスペクトル拡散し、スペクトル拡散した信号を搬送波周波数ｆ２を用いて無線端末１１に送信する。バッファ２２ｂに蓄えらた情報量が所定の量を越えたら、再度、情報の振り分け先をバッファ２２ａに切り替える。以上の動作を繰り返して情報の２分割を行う。一方、無線端末１１は受信した情報を疑似ランダム符号ＰＮ１、ＰＮ２を用いて逆拡散して所望の情報を得る。
【００３２】
（方法（２）−Ｂ）
無線基地局１２は、サーバ１３からの伝送パケットをいずれか一方のバッファ例えばバッファ２２ａに蓄えて行き、バッファ２２ａに蓄えられた情報量が所定の量になったら、情報の振り分け先を他方のバッファ２２ｂに切り替えると同時に、バッファ２２ａに蓄えられた情報を疑似ランダム符号ＰＮ１でスペクトル拡散し、スペクトル拡散した信号を搬送波周波数ｆ２を用いて無線端末１１に送信する。同様に、バッファ２２ｂに情報を蓄積する場合も、無線基地局１２は、バッファ２２ｂに蓄えられた情報量が所定の量になると情報の振り分け先をバッファ２２ａに切り替えると同時に、バッファ２２ｂに蓄えられた情報を疑似ランダム符号ＰＮ２でスペクトル拡散し、スペクトル拡散した信号を搬送波周波数ｆ２を用いて無線端末１１に送信する。以上の動作を繰り返して情報の２分割を行う。一方、無線端末１１は受信した情報を疑似ランダム符号ＰＮ１、ＰＮ２を用いて逆拡散し、以て所望の情報を得る。
【００３３】
（方法（２）−Ｃ）
無線基地局１２はサーバ１３からの伝送パケットをいずれか一方のバッファ例えばバッファ２２ａに蓄えて行き、バッファ２２ａに蓄えられた情報量が所定の量になったら、情報の振り分け先を他方のバッファ２２ｂに切り替える。そして、バッファ２２ｂに蓄えられた情報量が所定の量になると、各バッファ２２ａ、２２ｂに蓄えられた情報を各々疑似ランダム符号ＰＮ１、ＰＮ２でスペクトル拡散し、スペクトル拡散した信号を搬送波周波数ｆ２を用いて無線端末１１に送信する。双方のバッファ２２ａ、２２ｂが空になったら、再度、同様の手順を繰り返す。一方、無線端末１１は受信した情報を疑似ランダム符号ＰＮ１、ＰＮ２を用いて逆拡散し、以て所望の情報を得る。この方法（２）−Ｃの場合、伝送効率の点では、上記方法（２）−Ａ、（２）−Ｂに劣るが、パケット管理が容易で済むと言う利点がある。
【００３４】
次に、連続通信の場合について説明する。
無線基地局１２はスイッチ２３により、サーバ１３からの伝送情報を伝送された所定数のビット毎に交互に各バッファ２２ａ、２２ｂに振り分けて入力する。例えば、情報を１ビットずつ各バッファ２２ａ、２２ｂに振り分けて入力する。この場合、無線基地局１２から、１ビット毎に使用する疑似ランダム符号がＰＮ１，ＰＮ２，ＰＮ１，ＰＮ２，…の順で繰り返えされることを予め無線端末１１に通知することで、無線端末１１は受信した情報を順序正しいビットに並び替えることができる。このビット単位で振り分ける本方式は、インターリーブの効果を期待でき、特に、使用する疑似ランダム符号の数を増やした場合のインターリーブ効果が大きい。
【００３５】
同様に情報を２以上の所定数のビットずつ各バッファ２２ａ、２２ｂに振り分けて入力してもよい。この場合も、２以上の所定数のビット毎に使用する疑似ランダム符号がＰＮ１，ＰＮ２，ＰＮ１，ＰＮ２，…の順で繰り返えされることを予め無線端末１１に通知することで、無線端末１１は受信した情報を順序正しいビットに並び替えることができる。また、この方法は、１ビットずつ振り分ける場合に比べ、情報ビットを各バッファ２２ａ、２２ｂに振り分けるスイッチ２３の切り換え動作が低速で済むと言うメリットがある。
【００３６】
以上のように情報を複数のバッファに振り分けて入力することによって、各符号チャネル毎の情報伝送量を均等化させることができ、この結果、符号チャネル数にほぼ比例した信号伝送速度が安定して得られるようになる。
【００３７】
なお、以上説明した一実施形態では、上り回線（無線端末から無線基地局への通信回線）で使用する疑似ランダム符号の数を１とし、下り回線で使用する疑似ランダム符号の数をｎ（ｎ≧２）とした場合について説明したが、本発明はこれに限定されるものではなく、上り回線で使用する疑似ランダム符号の数をＭ（但し、Ｍ≧１）とし、下り回線で使用する疑似ランダム符号の数をＮ（但し、Ｎ＞Ｍ）とした場合にもまったく同様に適用し得るものである。
【００３８】
また、無線基地局１２は次のような構成をとるものであってもよい。すなわち、図３において、３１は無線基地局１２を制御するための制御部、３２は無線端末１１への伝送情報を一旦蓄積するバッファである。３４は無線端末１１に送信すべき情報を各々異なるｎ個（但し、ｎ≧２）の疑似ランダム符号を用いてスペクトル拡散するスペクトル拡散部３４ａ，３４ｂ，…を備えた送信部、３５は無線端末１１から送られた情報を受信し、逆拡散する受信部である。３６はバッファ３２に蓄えられた情報を送信部３４内のｎ個のスペクトル拡散部３４ａ，３４ｂ，…に振り分けるための第２のスイッチ、３７はアンテナである。そして、第１のスイッチ３３は、音声通話のようなサービスを提供する場合にバッファ３２及び第２のスイッチ３６を介さず直接送信部３４に情報を送ることで、バッファ３２及び第２のスイッチ３６による遅延を防ぐものである。
【００３９】
このように、無線基地局１２内に情報を分割するためのバッファ３２を１つだけ設け、第２のスイッチ３６によって、当該バッファ３２に蓄積された情報を送信部３４内のｎ個のスペクトル拡散部３４ａ，３４ｂ，…に振り分けて入力することによって、ｎ個の疑似ランダム符号でスペクトル拡散された信号を得るように構成することも可能である。
【００４０】
次に、無線端末１１から要求された情報の情報量や空き符号チャネルの数に応じて、下り回線で使用する疑似ランダム符号の数を動的に増減変更する方式について説明する。
【００４１】
例えば、情報量の大きい情報を要求した無線端末（ユーザ１）に対しては、Ｎ１個の疑似ランダム符号の使用を許可し、情報量は大きいものの、ユーザ１が要求している情報量よりは小さい情報を要求する無線端末（ユーザ２）に対しては、Ｎ２（但し、Ｎ１＞Ｎ２）個の疑似ランダム符号の使用を許可する。これにより、大容量の情報を所望するユーザ１は、より高速な下り回線を利用して情報を受信することができ、待ち時間による不快感を軽減できる。
【００４２】
また、当初、ユーザ２にＮ２個の疑似ランダム符号の使用を許可していたものの、他の無線端末のトラフィック量が減り、符号チャネルに空きが生じた場合、ユーザ２が使用できる疑似ランダム符号の数をＮ１個に増やす。また、要求された情報の情報量がそれほど大きくない場合は、１つの疑似ランダム符号の使用を許可し、情報量の大きいユーザには、複数の疑似ランダム符号の使用を許可することで、信号伝送速度が対称な無線通信システムと非対称な無線通信システムの双方を実現することもできる。
【００４３】
また、本発明では、異なるユーザに同じ疑似ランダム符号を割り当てることも可能である。
【００４４】
【発明の効果】
以上説明したように本発明の無線基地局、無線送信方法、無線端末によれば、上り回線と下り回線のトラフィック量に非対称性を実現することがきる。
【図面の簡単な説明】
【図１】  本発明の一実施形態である無線通信システムの全体的な構成を示す図。
【図２】  図１の無線通信システムの無線基地局の構成例を示す図。
【図３】  図１の無線通信システムの無線基地局の他の構成例を示す図。
【符号の説明】
１１…無線端末、１２…無線基地局、１３…サーバ、１４…ネットワーク、２１…制御部、２２ａ，２２ｂ…バッファ、２３…スイッチ、２４…送信部、２４ａ，２４ｂ…スペクトル拡散部、２５…受信部、２６…アンテナ。
【図１】
0003696197.tif 000002
【図２】
0003696197.tif 000003
【図３】
0003696197.tif 000004